(57)【要約】【課題】網戸を建具枠に簡単に取付けできると共に、網戸枠が脱落することがないようにした網戸付き建具とする。【解決手段】建具枠１の室内側部に、網戸２の網戸枠３の室外側部を接着手段で接着して取付け、その網戸枠３の取付けを容易とすることで、網戸３を建具枠１に簡単に取付けできるようにし、前記建具枠１の上枠１０に規制部品５のベース５０を取付け、このベース５０に規制具６０の取付部６０ａを係合して取付けることで、その規制具６０の規制部６０ｂを網戸枠３の室内側部の上部と対向し、前記接着が不十分でも網戸枠３が建具枠１から脱落しないようにする。【選択図】図４
2010189954.tif 000002
【特許請求の範囲】
【請求項１】
建具枠の室内側部に、網戸の網戸枠の室外側部を接着手段で接着して取付け、
前記網戸枠よりも上部に、規制部品を取付けた網戸付き建具であって、
前記規制部品は、取付部と規制部を有した規制具と、ベースを備え、
前記ベースを網戸枠よりも上部に固着具で固着して取付け、前記取付部をベースに係合して取付けることで規制部が網戸枠の室内側部の上部と対向するようにしたことを特徴とする網戸付き建具。
【請求項２】
前記ベースと網戸枠の上端部との間に上下方向の隙間を設け、
前記規制具は、建具枠に網戸枠を取付けた状態で、室内側から室外側に向けて移動することで、その取付部をベースに係合して取付けできるようにした請求項１記載の網戸付き建具。
【請求項３】
前記規制具の取付部は、一対の係合片を有し、
前記ベースは、前記一対の係合片が係合する被係合部と、前記一対の係合片を被係合部に係合するようにガイドすると共に、係合した状態で係合片の下面が接するガイド兼支持部を有する請求項２記載の網戸付き建具。
【請求項４】
前記規制具の取付部にロック部を設け、前記ベースにロック受部を設け、
前記規制具をベースに取付けた状態で、前記ロック部がロック受部に係合して規制具がベースに対して上方に動かないようにする上下ロック手段とした請求項１〜３いずれか１項に記載の網戸付き建具。
【請求項５】
前記規制具の取付部にロック部を設け、前記ベースにロック受部を設け、
前記規制具をベースに取付けた状態で、前記ロック部がロック受部に係合して規制具がベースに対して左右に動かないようにする左右ロック手段とした請求項１〜４いずれか１項に記載の網戸付き建具。
【請求項６】
前記一対の係合片に、その外側面と連続し、かつ室内側に開口した係止凹部を設け、この係止凹部に工具を係止して係合片を外側に弾性変形することで、前記係合片と被係合部の係合を解除可能にした請求項３記載の網戸付き建具。
【発明の詳細な説明】
【技術分野】
【０００１】
本発明は、建具枠の室内側部にロール網戸等を取付けした網戸付きの建具に関する。
【背景技術】
【０００２】
従来、網戸付きの建具としては、例えば、特許文献１に開示されたように、枠組み構材（建具枠）の室内側部に、網戸枠（枠組み構材）に防虫網を巻き取り、繰り出し自在に装着したロール網戸を取付けたものが知られている。
【先行技術文献】
【特許文献】
【０００３】
【特許文献１】特表２０００−５０３３５９号公報
【発明の概要】
【発明が解決しようとする課題】
【０００４】
前述した従来の網戸付きの建具は、網戸枠の枠材（側面構材、棒状構材）にフランジ部を形成し、建具枠の各枠材（枠組み構材）にスナップロッキング構材を取付け、このスナップロッキング構材に、前記網戸枠のフランジ部を係合して網戸枠を建具枠に固定することで、ロール網戸を建具枠の室内側部に取付けている。
このために、建具枠の各枠材に、複数のスナップロッキング構材をそれぞれ取付けるので、その取付け作業が面倒であると共に、各スナップロッキング構材に網戸枠のフランジ部がそれぞれ係合するように網戸枠を取付けなければならず、その網戸枠の取付け作業が面倒であり、これらが相俟って建具枠にロール網戸を取付ける作業が面倒である。
【０００５】
本発明の目的は、建具枠に網戸を簡単に取付けできるようにした網戸付き建具とすることである。
【課題を解決するための手段】
【０００６】
本発明は、建具枠の室内側部に、網戸の網戸枠の室外側部を接着手段で接着して取付け、前記網戸枠よりも上部に、規制部品を取付けた網戸付き建具であって、前記規制部品は、取付部と規制部を有した規制具と、ベースを備え、前記ベースを網戸枠よりも上部に固着具で固着して取付け、前記取付部をベースに係合して取付けることで規制部が網戸枠の室内側部の上部と対向するようにしたことを特徴とする網戸付き建具である。
【０００７】
本発明においては、前記ベースと網戸枠の上端部との間に上下方向の隙間を設け、前記規制具は、建具枠に網戸枠を取付けた状態で、室内側から室外側に向けて移動することで、その取付部をベースに係合して取付けできるようにできる。
このようにすれば、ベースを取付けた状態で網戸枠を取付け、その後に規制具を取付けできるので、規制部品のために網戸枠の取付けが面倒となることがない。
【０００８】
本発明においては、前記規制具の取付部は、一対の係合片を有し、前記ベースは、前記一対の係合片が係合する被係合部と、前記一対の係合片を被係合部に係合するようにガイドすると共に、係合した状態で係合片の下面が接するガイド兼支持部を有するようにできる。
このようにすれば、一対の係合片を、ベースのガイド兼支持部に沿って移動することで被係合部に係合できるから、ベースに規制具を簡単に取付けできる。
しかも、係合片を被係合部に係合して取付けた状態で、一対の係合片の下面がガイド兼支持部に接するから、規制具がベースから落下することを防止できる。
【０００９】
本発明においては、前記規制具の取付部にロック部を設け、前記ベースにロック受部を設け、前記規制具をベースに取付けた状態で、前記ロック部がロック受部に係合して規制具がベースに対して上方に動かないようにする上下ロック手段とすることができる。
このようにすれば、規制具がベースに対して上方に移動しないので、網戸枠によって規制具が室内側に押されても規制具がベースから外れることがない。
【００１０】
本発明においては、前記規制具の取付部にロック部を設け、前記ベースにロック受部を設け、前記規制具をベースに取付けた状態で、前記ロック部がロック受部に係合して規制具がベースに対して左右に動かないようにする左右ロック手段とすることができる。
このようにすれば、規制具がベースに対して左右に移動しないので、ロック部とロック受部との係合状態を安定して維持できる。
【００１１】
本発明においては、前記一対の係合片に、その外側面と連続し、かつ室内側に開口した係止凹部を設け、この係止凹部に工具を係止して係合片を外側に弾性変形することで、前記係合片と被係合部の係合を解除可能にできる。
このようにすれば、係止凹部に工具を係止して係合片を外側に弾性変形することで係合片を被係合部から離脱できるので、ベースから規制具を外すことができる。
【発明の効果】
【００１２】
本発明によれば、網戸框を建具枠に接着手段で接着して取付けたので、その網戸枠を簡単に取付けできるとともに、網戸枠の接着が不十分であっても、その網戸枠が建具枠から脱落することを規制部品で防止できる。
さらに、ベースを予め固着具で固着して取付け、その後に規制具をベースに取付けることができるから、規制部品を簡単に取付けできる。
【図面の簡単な説明】
【００１３】
【図１】本発明の実施の形態を示す全体概略内観図である。
【図２】図１のＡ−Ａ拡大詳細断面図である。
【図３】図１のＢ−Ｂ拡大詳細断面図である。
【図４】規制部品取付部分の規制具を外した状態の拡大断面図である。
【図５】規制部品のベースと規制具の分解斜視図である。
【図６】規制部品のベースに規制具を取付けた状態の斜視図である。
【図７】規制部品のベースに規制具を取付けた状態の断面図である。
【発明を実施するための形態】
【００１４】
図１に示すように、建具枠１の室内側部にロール網戸２が取付けてある。
前記建具枠１は、上枠１０と下枠１１と左右の縦枠１２を方形状に連結してある。
前記ロール網戸２は網戸枠３に防虫網４を巻き取り、繰り出し自在に装着してある。
前記網戸枠３は、上枠材３０と下枠材３１と一方の縦枠材３２と他方の縦枠材３３で方形状で、その一方の縦枠材３２内に設けた図示しない巻取り軸に防虫網４の長手方向の一端縁が連結され、この防虫網４の長手方向の他端縁に可動縦材３４が連結してある。
この可動縦材３４を上枠材３０、下枠材３１に沿って摺動することで防虫網４が巻き取り、繰り出しされる。
なお、ロール網戸２は前述の構成に限ることはなく、網戸枠３に防虫網４が巻き取り、繰り出し自在に装着してあれば良い。また、網戸はロール網戸に限ることなく、折り畳み式網戸等の収納式網戸、固定網戸、スライド網戸等、他の網戸であっても構わない。
【００１５】
前記網戸枠３は、その室外側部が、建具枠１の室内側部に、接着手段で固定して取付けてある。
例えば、上枠材３０、下枠材３１、一方の縦枠材３２、他方の縦枠材３３の室外側部が上枠１０、下枠１１、左右の縦枠１２の室内側部に両面接着テープで接着して固定してある。接着手段としては、両面接着テープに限ることない。例えば、接着剤を塗布するようにしても良い。
このようであるから、網戸枠３を建具枠１に簡単に取付けできるから、建具枠１にロール網戸２を簡単に取付けできる。
【００１６】
前記網戸枠３よりも上部、例えば建具枠１の上枠１０には規制部品５が取付けてある。
この規制部品５は、網戸枠３の室内側部の上部と対向し、その網戸枠３が室内側に倒れることを防止し、ロール網戸２が建具枠１から脱落しないようにしてある。
このようであるから、網戸枠３の接着が不十分であっても建具枠１からロール網戸２が脱落することを防止できる。
【００１７】
前記網戸枠３は、一方の縦枠材３２に巻取り軸が取付けてあるので、その網戸枠３の重心は一方の縦枠材３２寄りである。
したがって、１つの規制部品５を上枠１０における一方の縦枠材３２寄りに取付けることで、網戸枠３の脱落を防止できる。
なお、規制部品５は２つ以上取付けても良い。
【００１８】
次に、各部材を詳細に説明する。
前記上枠１０、下枠１１は図２に示すように、室内側に向かう網戸取付面１０ａ，１１ａを有し、この網戸取付面１０ａ，１１ａよりも室内側に突出した取付片１０ｂ，１１ｂを有している。
前記左右の縦枠１２は図３に示すように、室内側に向かう網戸取付面１２ａよりも室内側に突出した取付片１２ｂを有している。
そして、前記各取付片１０ｂ，１１ｂ，１２ｂを建物躯体の開口部の内面、例えば回り縁６に固着具で固着して上枠１０、下枠１１、縦枠１２を取付けてある。
なお、この実施の形態では上枠１０、下枠１１、縦枠１２は樹脂製で、同一断面形状としてあるが、これに限ることはなく、上枠１０、下枠１１、縦枠１２はアルミ製でも良いし、アルミ製と樹脂製を組み合わせたもの等でも良い。
前記建具枠１内には障子７が縦すべり出し自在に取付けられて、縦すべり出し窓としてある。
【００１９】
前記網戸枠３の前記上枠材３０、下枠材３１は図２に示すように、室外側に向う被取付面３０ａ，３１ａと室内側に向う室内側面３０ｂ，３１ｂとガイド凹部３０ｃ，３１ｃを有する。
前記被取付面３０ａ，３１ａが前記上枠１０、下枠１１の網戸取付面１０ａ，１１ａに図示しない両面接着テープで接着して固定してある。
前記上枠材３０のガイド凹部３０ｃと下枠材３１のガイド凹部３１ｃとに亘って可動縦材３４の上部、下部が長手方向に摺動自在に嵌まり込んでいる。
【００２０】
前記一方の縦枠材３２と他方の縦枠材３３は図３に示すように、室外側に向う被取付面３２ａ，３３ａを有し、この各被取付面３２ａ，３３ａが左右の縦枠１２の網戸取付面１２ａに図示しない両面接着テープで接着して固定してある。
前記一方の縦枠材３２は、本体３２ｂとカバー３２ｃで中空形状で、その内部に巻取り軸３５が回転自在に取付けてあると共に、そのカバー３２ｃを開放することで巻取り軸３５を点検等できるようにしてある。
前記他方の縦枠材３３は内向き凹部３３ｂを有し、この内向き凹部３３ｂに可動縦材３４が嵌まり合うようにしてある。
【００２１】
このようであるから、建具枠１を建物躯体の開口部内に取付けた状態で、その開口部の室内側から網戸枠３を室外側に向けて移動して、その被取付面３０ａ，３１ａ，３２ａ，３３ａを、建具枠１の網戸取付面１０ａ，１１ａ，１２ａに両面接着テープで接着して固定して取付けできる。前記下枠材３１の下端部が下枠１１の取付片１１ｂに接している。
なお、両面接着テープは建具枠１に接着して取付けても良いし、網戸枠３に接着して取付けるようにしても良い。
【００２２】
前記規制部品５は、図４に示すように、上枠１０に固着具で固着して取付けるベース５０と、このベース５０に係合して取付ける規制具６０を備えている。
前記ベース５０は、網戸枠３の取付けの邪魔にならないように上枠１０に取付けられ、そのベース５０を取付けた状態で網戸枠３を取付けできるようにしてある。
具体的には、ベース５０と網戸枠３（上枠材３０）の上端部との間に上下方向の隙間があり、網戸枠３の上端部がベース５０と干渉しないように網戸枠３を取付けできるようにしてある。
例えば、ベース５０は上下方向に向かう固着具５１で上枠１０の取付片１０ｂを介して回り縁６に固着して取付けてある。このようにすれば、固着具５１が室内側から見えない。
【００２３】
前記ベース５０は上枠１０の網戸取付面１０ａの上部寄りに、室内外側方向に向かう固着具で固着して取付けても良い。
また、ベース５０は、上枠１０の取付片１０ｂを介して回り縁６に対して固着具で固着して取付ける構成に限らず、回り縁６に対しては固着せずに取付片１０ｂにのみ固着される構成であっても良い。なお、上枠１０に取付片１０ｂがない場合には、ベース５０を、建物躯体の開口部の上内面、例えば前述の回り縁６に直接接して固着具で固着しても良い。
また、無目を境として上部と下部に窓部がある段窓の場合には、その無目（つまり、上枠）の室内側面にアタッチメント枠材を固着して取付け、そのアタッチメント枠材にベース５０を固着具で固着して取付けることができる。
【００２４】
前記規制具６０は取付部６０ａと規制部６０ｂを有し、その取付部６０ａがベース５０に係合して取付けられ、規制部６０ｂが図２に示すように網戸枠３の室内側部の上部、例えば上枠材３０の室内側面３０ｂと対向する。この際、規制部６０ｂの室外側面と上枠材３０の室内側面３０ｂとは離間して対向しているが、離間せずに接した状態で対向しても良い。
この規制具６０は図４に示すように、建具枠１に網戸枠３を取付けた状態で、室内側から室外側に向けて移動して取付部６０ａをベース５０に係合して取付けできる。なお、左右方向に移動して取付部６０ａをベース５０に係合して取付けても良い。
【００２５】
このようであるから、ベース５０を取付けた状態で網戸枠３を取付け、その後に規制具６０を取付けでき、規制部品５のために網戸枠３の取付けが面倒となることがない。
【００２６】
次に、前記規制部品５を図５〜図７に基づいて説明する。
前記規制具６０の取付部６０ａは図５に示すように、一対の係合片６１を有し、この一対の係合片６１は規制部６０ｂの上部に室内外側方向（見込み方向）の室外側に向けて設けてあり、その室外側端部に係合部６２が相対向して設けてある。
前記ベース５０は、前記一対の係合片６１が係合する被係合部５２と、この被係合部５２の下部と連続し、かつ前記一対の係合片６１を被係合部５２に係合するようにガイドとすると共に、係合した状態で係合片６１を落下しないように支持する一対のガイド兼支持部５３を有している。
前記被係合部５２は、その室外側部に前記係合部６２が係合する係合受部５４を有し、その被係合部５２の室内側寄りには一対の係合片６１を拡開変形するための一対のガイド面５５を有している。
【００２７】
そして、ベース５０は、被係合部５２の上下面に貫通して形成した孔５６から固着具５１を上枠１０の取付片１０ｂ、回り縁６に固着して取付けられる。
これにより、図４に示すように、ベース５０のガイド兼支持部５３が上枠１０の取付片１０ｂ（つまり、ベース５０の取付面）よりも下方に位置し、両者の間に係合片挿入用のスペースを形成する。
【００２８】
このようであるから、ベース５０を取付けた状態で、規制具６０を室内側から室外側に向けて移動し、一対の係合片６１をガイド兼支持部５３に沿ってベース５０の被係合部５２に押し込むことで、一対の係合片６１の係合部６２が一対のガイド面５５に沿って移動して一対の係合片６１が拡開変形し、一対のガイド面５５を通過すると一対の係合片６１が弾性復元して係合部６２が係合受部５４に係合してベース５０に規制具６０が取付けられる。
したがって、規制具６０をベース５０に向けて押し込むことで簡単に取付けできる。
しかも、規制具６０をベース５０に取付けた状態で、一対の係合片６１の下面６１ａが一対のガイド兼支持部５３に接するので、規制具６０を落下しないように支持できる。
【００２９】
前記ベース５０と取付部６０ａとに亘って、規制具６０がベース５０に対して上方に動かないようにロックする上下ロック手段７０が設けてある。
前記ベース５０にはロック受部を設ける。例えば、ベース５０の被係合部５２の室内側端面５２ａに突条７１を設けてロック受部とする。
前記取付部６０ａには、前記ロック受部と係合して上方に移動しないようにロックするロック部を設ける。
例えば、前記取付部６０ａの一対の係合片６１間に上向き段差部７２を室外側に向けて形成してロック部とする。
そして、前述のように一対の係合片６１を被係合部５２に係合して規制具６０をベース５０に取付けたときに、前記突条７１が上向き段差部７２に係合し、ベース５０に対して規制具６０が上方に動かないようにロックする。
前記ロック受部はピン又はピン穴で、ロック部はピン穴又はピンであっても良い。
【００３０】
前記ベース５０と取付部６０ａとに亘って、規制具６０がベース５０に対して左右に動かないようにロックする左右ロック手段８０が設けてある。
前記ベース５０に室内側に開口した溝８１を形成してロック受部とし、前記取付部６０ａに突部８２を設けてロック部とし、前述のように一対の係止片６１を被係合部５２に係合して規制具６０をベース５０に取付けると突部８２が溝８１に嵌合して規制具６０がベース５０に対して左右に動かないようにロックする。
前記ロック受部を突部、ロック部を溝としても良いし、ロック受部を室内外側方向に向かう孔、ロック部を孔に嵌合する軸としても良い。
【００３１】
前記一対の係合片６１の室外側端には係止凹部６３が形成してある。
この係止凹部６３は、係合片６１の外側面６１ｂと連続し、かつ室内側に向けて開口し、ドライバーなどの工具を係合片６１の外側面６１ｂに沿って移動して係止凹部６３に嵌合して係止し、その工具を外側にこじることで係合片６１を外側に弾性変形できるようにしてある。
【００３２】
このようであるから、ベース５０に規制具６０が取付けてある状態で、前記係止凹部６３に工具を嵌合して係止し、その工具をこじることで係合片６１を外側に弾性変形して係合部６２を係合受部５４から離脱して取付部６０ａのベース５０への係合を解除し、規制具６０をベース５０から取り外しできる。
【００３３】
前記ベース５０の具体形状を説明する。
前記ベース５０は図５に示すように、室内側方向に向かう基板５７の上面における室外側寄り部分の左右中央に厚肉部５８を有し、その厚肉部５８に上下面に貫通した前記孔５６が形成してある。
前記厚肉部５８の左右両側面５８ａにおける室内側寄り部分が室内側に向かうほぼＶ字形状の傾斜面で、前記ガイド面５５で、前記厚肉部５８の左右両側面５８ａの室外側寄り部分が鉤形に切欠きされて前記係合受部５４としてあり、厚肉部５８が前記被係合部５２である。
前記基板５７の上面５７ａが、前記厚肉部５８の左右両側面５８ａよりも張り出して前記ガイド兼支持部５３としてある。
【００３４】
前記厚肉部５８の室内側端面５８ｂに前述の突条７１が設けてある。
前記基板５７の厚肉部５８よりも室内側部分に、前記溝８１が形成され、この溝８１は基板５７の室内側端面５７ｂに開口している。
【００３５】
前記規制具６０の具体形状を説明する。
前記規制具６０は、図５に示すように、室内外側方向に向かう横板６４と、この横板６４の室内側端と連続し下向きの縦板６５で鉤形状の本体６６を有し、その横板６４の室外側端面６４ａの左右両側部と連続して左右一対の係合片６１が室外側に向けてそれぞれ一体に設けてある。
この各係合片６１には係合部６２と係止凹部６３がそれぞれ設けてある。
前記横板６４の室外側端面６４ａにおける左右中央に、前記上向き段差部７２が形成してある。
前記横板６４の下面に前記突部８２が設けてある。
前記横板６４と一対の係合片６１で前述の取付部６０ａとし、縦板６５が規制部６０ｂである。
【符号の説明】
【００３６】
１…建具枠、２…ロール網戸、３…網戸枠、４…防虫網、５…規制部品、１０…上枠、１１…下枠、１２…縦枠、３０…上枠材、３１…下枠材、３２…一方の縦枠材、３３…他方の縦枠材、５０…ベース、５１…固着具、５２…被係合部、５３…ガイド兼支持部、６０…規制具、６０ａ…取付部、６０ｂ…規制部、６１…係合片、６１ａ…下面、６１ｂ…外側面、６３…係止凹部、７０…上下ロック手段、７１…突条（ロック受部）、７２…上向き段差部（ロック部）、８０…左右ロック部、８１…溝（ロック受部）、８２…突部（ロック部）。
【図１】
2010189954.tif 000003
【図２】
2010189954.tif 000004
【図３】
2010189954.tif 000005
【図４】
2010189954.tif 000006
【図５】
2010189954.tif 000007
【図６】
2010189954.tif 000008
【図７】
2010189954.tif 000009